(57)【要約】【課題】ユーザの置かれた状況等に基づいて、当該ユーザに対して、より適切な情報を提供すること。【解決手段】移動手段特定情報取得部６１は、ＱＲコード（登録商標）に関する各種情報に基づいて、ユーザＵが利用している移動手段を特定する情報を取得する。位置特定情報取得部６２は、各種情報に基づいて、ユーザ端末２の位置を特定する情報を取得する。送信情報送信制御部６３は、移動手段特定情報及び位置特定情報を、サーバ１に送信する制御を実行する。送信情報取得部５１は、移動手段特定情報及び位置特定情報を取得する。位置特定部５３は、位置特定情報に基づいて、ユーザＵの位置を特定する。移動手段特定部５２は、移動手段特定情報に基づいて、ユーザＵの移動手段を特定する。広告選択部５４は、ユーザＵの位置及びユーザＵの移動手段に基づいて、ユーザＵに提供するコンテンツを決定する。【選択図】図４
2019003647.tif 000002
【特許請求の範囲】
【請求項１】
他の情報処理端末に対して、提供するコンテンツを決定する情報処理装置において、
前記コンテンツを提供する対象となる前記他の情報処理装置を携帯するユーザに関する第１条件を特定可能な第１条件を取得する第１条件取得手段と、
前記ユーザの位置に関する第２条件を特定可能な第２条件を取得する第２条件取得手段と、
前記第１条件取得手段により取得された前記第１条件及び前記第２条件取得手段により取得された前記第２条件に基づいて、前記他の情報処理装置に提供するコンテンツを決定する決定手段と、
を備える情報処理装置。
【請求項２】
他の情報処理装置の制御により決定されたコンテンツに関する処理を実行する情報処理装置において、
当該情報処理装置を携帯するユーザに関する第１条件を特定可能な第１条件を取得する第１条件取得手段と、
前記ユーザの位置に関する前記第２条件を特定可能な第２条件を取得する第２条件取得手段と、
前記第１条件及び前記第２条件を前記他の情報処理装置に提供する提供手段と、
前記第１条件及び前記第２条件に基づいて、前記他の情報処理装置の制御により決定されたコンテンツを、前記ユーザに対して提示する提示手段と、
を備える情報処理装置。
【発明の詳細な説明】
【技術分野】
【０００１】
本発明は、情報処理装置及び情報処理端末に関する。
【背景技術】
【０００２】
近年、ＩＴ技術の進歩は、著しく、特にモバイル用の情報処理端末等の性能は、日に日に高度なものとなっている。そのため、旅行先や出張先においても、ユーザが、モバイル用の情報端末が使用することは日常的になっている。
そのような環境下において、ユーザの位置情報等に基づいて、ユーザの現在位置（場所や地域）に関連する各種情報（エリア情報等）を提供する技術が提案されている（例えば、特許文献１参照）。
【先行技術文献】
【特許文献】
【０００３】
【特許文献１】特開２０１６−１８４４４６号公報
【発明の概要】
【発明が解決しようとする課題】
【０００４】
しかしながら、例えば、ユーザが旅行をするような場合、電車で移動している場合と、バスで移動している場合と、ではユーザの望む情報は異なると考えられる。
この点、特許文献１に記載の技術を含む従来技術では、ユーザに対して、当該ユーザの現在位置に基づいて各種情報を提供することができるに過ぎず、ユーザに提供される情報はユーザの要望を十分に反映しきれていない場合も少なくなかった。
【０００５】
本発明は、このような状況を鑑みてなされたものであり、ユーザの置かれた状況等に基づいて、当該ユーザに対して、より適切な情報を提供することを目的とする。
【課題を解決するための手段】
【０００６】
上記目的を達成するため、本発明の一態様の情報処理装置は、
他の情報処理端末に対して、提供するコンテンツを決定する情報処理装置において、
前記コンテンツを提供する対象となる前記他の情報処理装置を携帯するユーザに関する第１条件を特定可能な第１条件を取得する第１条件取得手段と、
前記ユーザの位置に関する第２条件を特定可能な第２条件を取得する第２条件取得手段と、
前記第１条件取得手段により取得された前記第１条件及び前記第２条件取得手段により取得された前記第２条件に基づいて、前記他の情報処理装置に提供するコンテンツを決定する決定手段と、
を備える。
【発明の効果】
【０００７】
本発明によれば、ユーザの現在位置や移動手段等に基づいて、当該ユーザに対して、より適切な情報を提供することを目的とする。
【図面の簡単な説明】
【０００８】
【図１】本発明の一実施形態に係るサーバ、ユーザ端末、及び広告データベース（ＤＢ）を含む情報処理システムの構成を示す図である。
【図２】図１の情報処理システムのうちサーバのハードウェア構成の一例を示すブロック図である。
【図３】図１の情報処理システムのうちユーザ端末のハードウェア構成の一例を示すブロック図である。
【図４】図１の情報処理システムの機能的構成の一例を示す機能ブロック図である。
【図５】図１の情報処理システムの適用対象となるサービスを説明するための図である。
【図６】図１の情報処理システムの適用対象となるサービスを説明するための図であり、図５とは異なる例を示す図である。図４の機能的構成を有する情報処理システムの一実施形態を利用したサービスにより配信される広告の一例を示す図である。
【図７】図４のサーバ及びユーザ端末が実行する各種処理の流れを説明するアローチャートである。
【図８】図４のサーバ及びユーザ端末の実行する各種処理の流れを説明するアローチャートであって、図７の例とは異なる例を示す図である。
【図９】図４のサーバ及びユーザ端末の実行する各種処理の流れを説明するアローチャートであって、図７及び図８の例とは異なる例を示す図である。
【発明を実施するための形態】
【０００９】
以下、本発明の実施形態について、図面を用いて説明する。
【００１０】
図１は、本発明の一実施形態に係るサーバ１、ユーザ端末２、及び広告データベース（ＤＢ）３を含む情報処理システムを利用した、広告配信システムの一例を示す図である。
【００１１】
本システムでは、本システムの提供者により管理されるサーバ１と、本システムのユーザＵが利用するユーザ端末２と、本システムが配信する広告に関するデータを保管している広告ＤＢ３とを含むように構成される。サーバ１と、ユーザ端末２と、広告ＤＢ３との夫々は、インターネット等の所定のネットワークＮを介して相互に接続されている。
なお、広告ＤＢ３は、サーバ１に内蔵されたＤＢとして機能してもよいし、サーバ１及びユーザ端末２とは異なる任意のハードウェアやクラウド上のデータベースとして機能してもよいが、本実施形態における広告ＤＢ３は、便宜上、クラウド上でデータベースとして機能するものとして説明を行う。
また、図１の情報処理システムの適用対象となるサービス（以下、「本サービス」と呼ぶ）は、所定のユーザＵに対するコンテンツの提供サービスである。本サービスの詳細については、後述するが、バスＢに乗車するユーザＵは、自身の所有するユーザ端末２で、ＱＲコード（登録商標）を読み取ることで、サーバ１により選択された自身に最適なコンテンツの提供を受けることができる。ユーザＵは、ユーザ端末２を用いてＱＲコード（登録商標）を読み取ることをきっかけとして、ユーザＵに適切なコンテンツの提供を受けることができる。
【００１２】
図２は、図１の情報処理システムのうちサーバ１のハードウェア構成の一例を示すブロック図である。
【００１３】
サーバ１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｙ）１３と、バス１４と、入出力インターフェース１５と、出力部１６と、入力部１７と、記憶部１８と、通信部１９と、ドライブ２０と、を備えている。
【００１４】
ＣＰＵ１１は、ＲＯＭ１２に記録されているプログラム、又は記憶部１８からＲＡＭ１３にロードされたプログラムに従って各種の処理を実行する。
ＲＡＭ１３には、ＣＰＵ１１が各種の処理を実行する上において必要なデータ等も適宜記憶される。
【００１５】
ＣＰＵ１１、ＲＯＭ１２及びＲＡＭ１３は、バス１４を介して相互に接続されている。このバス１４にはまた、入出力インターフェース１５も接続されている。入出力インターフェース１５には、出力部１６、入力部１７、記憶部１８、通信部１９及びドライブ２０が接続されている。
【００１６】
出力部１６は、液晶等のディスプレイにより構成され、各種画像を表示する。
入力部１７は、各種ハードウェア等で構成され、操作者の指示操作に応じて各種情報を入力する。
【００１７】
記憶部１８は、ＤＲＡＭ（Ｄｙｎａｍｉｃ  Ｒａｎｄｏｍ  Ａｃｃｅｓｓ  Ｍｅｍｏｒｙ）等で構成され、各種データを記憶する。
通信部１９は、インターネットを含むネットワークＮを介して他の装置（ユーザ端末２及び広告ＤＢ３）との間で行う通信を制御する。
【００１８】
ドライブ２０は、必要に応じて設けられる。ドライブ２０には、磁気ディスク、光ディスク、光磁気ディスク、或いは半導体メモリ等よりなる、リムーバブルメディア２１が適宜装着される。ドライブ２０によってリムーバブルメディア２１から読み出されたプログラムは、必要に応じて記憶部１８にインストールされる。また、リムーバブルメディア２１は、記憶部１８に記憶されている各種データも、記憶部１８と同様に記憶することができる。
【００１９】
図３は、図１の情報処理システムのうちユーザ端末２のハードウェア構成の一例を示すブロック図である。
ユーザ端末２は、ＣＰＵ３１と、ＲＯＭ３２と、ＲＡＭ３３と、バス３４と、入出力インターフェース３５と、タッチ操作入力部３６と、表示部３７と、入力部３８と、記憶部３９と、通信部４０と、ドライブ４１と、リムーバブルメディア４２と、撮像部４３と、ＧＰＳ部４４と、を備えている。
【００２０】
ここで、ユーザ端末２のＣＰＵ３１と、ＲＯＭ３２と、ＲＡＭ３３と、バス３４と、入出力インターフェース３５と、入力部３８と、記憶部３９と、通信部４０と、ドライブ４１、リムーバブルメディア４２については、サーバ１と同様の構成とすることができるため、その説明を省略する。
【００２１】
タッチ操作入力部３６は、例えば表示部３７の表示領域に積層される静電容量式又は抵抗膜式の位置入力センサにより構成され、タッチ操作がなされた位置の座標を検出する。ここで、タッチ操作とは、タッチ操作入力部３６に対する物体（ユーザＵの指やタッチペン等）の接触又は近接の操作をいう。
【００２２】
表示部３７は、液晶等のディスプレイにより構成され、各種画像を表示する。
即ち、本実施形態では、タッチ操作入力部３６と表示部３７とにより、タッチパネルが構成されている。
【００２３】
撮像部４３は、カメラ等で構成され、ＱＲコード（登録商標）等の画像の撮像に用いられる。
【００２４】
ＧＰＳ部４４は、ＧＰＳ（Ｇｌｏｂａｌ  Ｐｏｓｉｔｉｏｎｉｎｇ  Ｓｙｓｔｅｍ）衛星からの電波を受信し、その発信時刻を測定し、発信と受信との時刻差に基づいて、ユーザ端末２の位置情報を取得する。
【００２５】
このような図２のサーバ１の各種ハードウェアと、図３のユーザ端末２の各種ハードウェアと、各種ソフトウェアとの協働により、後述する広告選択処理の実行が可能になる。
ここで、サーバ１及びユーザ端末２は、広告選択処理の実行にあたり、図４に示すような機能的構成を備えている。即ち、サーバ１及びユーザ端末２の機能的構成の一例を示す機能ブロック図である。
【００２６】
図４に示すように、ユーザ端末２のＣＰＵ３１においては、移動手段特定情報取得部６１と、位置特定情報取得部６２と、送信情報送信制御部６３と、広告表示制御部６４とが機能する。
【００２７】
ここで、詳細については後述するが、本実施形態では、前提として、ユーザＵが撮影対象とするＱＲコード（登録商標）には、撮影された場所、移動手段等に関する情報が含まれる。
移動手段特定情報取得部６１は、撮像部４３で取得されたＱＲコード（登録商標）に関する各種情報に基づいて、ユーザＵが利用している移動手段を特定する情報（以下、「移動手段特定情報」と呼ぶ）を取得する。
また、ここで言う移動手段とは、タクシー、電車、バス等の本来的な意味での移動手段に限らない。即ち、例えば、ホテル（宿泊）、民宿（宿泊）、居酒屋（食事）等のユーザＵの状況を特定することができる情報であればよい。さらに、これらの情報の取得方法については、図８及び９を用いて後述する。
【００２８】
位置特定情報取得部６２は、ＧＰＳ部４４で取得された各種情報に基づいて、ユーザ端末２の位置を特定する情報（以下、「位置特定情報」と呼ぶ）を取得する。
【００２９】
送信情報送信制御部６３は、移動手段特定情報取得部６１で取得された移動手段特定情報及び位置特定情報を、通信部４０を介してサーバ１に送信する制御を実行する。
【００３０】
このようにして、サーバ１へと送信された移動手段特定情報及び位置特定情報は、サーバ１で取得され、ユーザＵに適したコンテンツの決定に利用される。そして、サーバ１でユーザＵに提供するコンテンツが決定されると、当該コンテンツに関する情報が、サーバ１からユーザ端末２へと送信されてくる。
そこで、広告表示制御部６４は、このようにしてサーバ１から送信されてきたコンテンツを取得し、表示部３７に表示する制御を実行する。
これにより、ユーザＵは、自身の利用するユーザ端末２の表示部３７を確認することで自身の移動手段（状況）及び位置に最適なコンテンツの提供を受けることができる。
【００３１】
また、図３に示すように、サーバ１のＣＰＵ１１においては、送信情報取得部５１と、移動手段特定部５２と、位置特定部５３と、広告選択部５４と、広告送信制御部５５と、リスト生成部４５とが機能する。
また、サーバ１の外部には、クラウド上でデータベースとして機能する広告ＤＢ３が設けられ、適宜、各種データの保存に利用される。
【００３２】
サーバ１の送信情報取得部５１は、通信部１９を介して、ユーザ端末２から送信されてきた移動手段特定情報及び位置特定情報を取得する。
【００３３】
位置特定部５３は、送信情報取得部５１で取得された位置特定情報に基づいて、ユーザＵの位置を特定する。
【００３４】
移動手段特定部５２は、送信情報取得部５１で取得された移動手段特定情報に基づいて、ユーザＵの移動手段を特定する。
なお、ここで言う移動手段とは、上述の通り、必ずしも交通機関等の移動手段のみに限られず、ユーザＵに最適なコンテンツを決定するために考慮可能なあらゆるユーザＵの状況を含む概念である。
【００３５】
広告選択部５４は、位置特定部５３で特定されたユーザＵの位置及び移動手段特定部５２で特定されたユーザＵの移動手段に基づいて、ユーザＵに提供するコンテンツを決定する。
そして、広告選択部５４は、ここで決定されたコンテンツを広告ＤＢ３から取得する。
なお、広告選択部５４において、コンテンツを決定する方法の詳細については、図５等を参照しつつ後述する。
【００３６】
広告送信制御部５５は、広告選択部５４で取得されたコンテンツに関する情報を、通信部１９を介してユーザ端末２に送信する制御を実行する。
なお、本実施形態では、コンテンツに関する各種情報そのものを想定しているが、例えば、サーバ１では、当該コンテンツを特定可能な情報（コンテンツのＩＤやコンテンツの書式的な情報）のみを送信し、ユーザ端末２では、別途、コンテンツを取得して、それを表示してもよい。
【００３７】
続いて、このような図４の機能的構成を有する情報処理システムを利用することにより実現される本サービスの詳細について、図５及び図６を参照しつつ説明する。
図５及び図６は、例えば、東京から大阪に向かうバスＢを利用するユーザＵが、本サービスを利用する場合の一例を説明するための図である。
【００３８】
図５に示すとおり、バスＢは、東京から大阪に向かう高速バスであり、バスＢの車内には、本サービスの利用に用いられるＱＲコード（登録商標）が備え付けられている。ユーザＵは、このＱＲコード（登録商標）を自由に読み取ることが可能である。
図５の例では、バスＢが静岡県の付近を通過する時点で、ユーザＵが本サービスを利用する場合を示している。具体的には、バスＢが静岡県を通過する時点で、ユーザＵが、自身の利用するユーザ端末２を用いて、バスＢに備え付けられたＱＲコード（登録商標）を読み込むと、ユーザ端末２では、ユーザＵの移動手段がバスであるという情報を特定する情報として、当該ＱＲコード（登録商標）の情報が移動手段特定情報として取得される。
他方、ＱＲコード（登録商標）の読み取りが行われると、位置特定情報取得部６２は、ＧＰＳ部４４で取得された各種情報に基づいて、位置特定情報を取得する。
なお、上述の通り、このようにして取得された移動手段特定情報及び位置特定情報は、ユーザ端末２の送信情報送信制御部６３からサーバ１へと送信される。
【００３９】
サーバ１は、このようにして送信されてきた移動手段特定情報及び位置特定情報を取得して、ユーザＵの位置及び移動手段を特定し、ユーザＵに最適なコンテンツを決定する。
図５の例では、例えば、サーバ１は、ユーザＵの現在位置である静岡の名産品の中でも、バスで移動中のユーザＵでも持ち歩きが可能で、保存の効きやすい、うなぎパイに関する広告をユーザＵに提供するコンテンツとして決定し、当該コンテンツに関する情報（以下、「コンテンツ情報」と呼ぶ）をユーザ端末２に送信する。
【００４０】
そして、ユーザ端末２の広告表示制御部６５は、サーバ１から送信されてきたコンテンツ情報を取得し、そのうなぎパイに関する広告を表示部３７に表示する。なお、広告表示制御部６５は、当該うなぎパイの広告に、うなぎパイの購入サイトへのリンクを合わせて表示してもよいし、うなぎパイを購入することができるサービスエリアに関する情報を合わせて表示する等してもよい。
これにより、ユーザＵは、自身の現在位置や移動手段に応じて、効率的に買い物や観光を楽しむことが可能となる。
なお、同様に、ユーザＵが京都府にいる時点でＱＲコード（登録商標）を読み込んだ場合、ユーザＵには、例えば、八ツ橋の広告が表示されてもよい。
【００４１】
このような、ユーザＵの位置情報と移動手段との関係性は、例えば、図６に示すとおりである。
図６の表Ｔに示す通り、ユーザＵの現在位置が東京であり移動手段がバスである場合には広告１が、ユーザＵに提供されるコンテンツとして決定される。同様に、ユーザＵの現在位置が静岡県であれば広告２が、京都府であれば広告３が、大阪府であれば広告４が、コンテンツとして決定される。
また、図６の表Ｔに示す通り、ユーザＵの現在位置が東京であり、移動手段がバス以外、例えばタクシーの場合には広告５が、ユーザＵに提供されるコンテンツとして決定される。同様に、ユーザＵの現在位置が静岡県であれば広告６が、京都府であれば広告７が、大阪府であれば広告８が、コンテンツとして決定される。
そして、図６の表Ｔに示す通り、ユーザＵの現在位置が東京であり、移動手段が電車の場合には広告９が、ユーザＵに提供されるコンテンツとして決定される。同様に、ユーザＵの現在位置が静岡県であれば広告１０が、京都府であれば広告１１が、大阪府であれば広告１２が、コンテンツとして決定される。
【００４２】
ここで、例えば、図６の例で、広告２はうなぎパイの広告である。ユーザＵが高速バス等で移動中の場合、上述の通り、ユーザＵは、必ずしも静岡県内で観光を行うとは限らず、さらに言えば、自由に乗降すること自体が難しいと考えられる。このような場合に、ユーザＵに提供される広告としては、例えば、当該バスが立ち寄る可能性が高いサービスエリア等で扱うお土産等に関するもの選択される。
他方、例えば、広告６はうなぎを扱う料亭の広告である。ユーザＵがタクシーで移動中であれば、静岡県内のあらゆる場所で乗降が可能であるし、移動範囲も静岡県の限定された地域に限られる可能性も高い。そのため、ユーザＵに提供される広告としては、静岡の名産であるうなぎを食すことができる料亭のように比較的地域に根付いた店の情報が選択される。
また、例えば、広告１０は、静岡県に接する都道府県である愛知県の代表的な駅弁（みそかつ弁当）等を含むお土産の広告である。ユーザＵが電車で移動中の場合、バスで移動中の場合と比較して、さらに静岡県内で観光を行う可能性は低く、また、自由な乗降が難しいのが通常と考えられる。このような場合には、例えば、静岡県に限らず近隣の都道府県を代表するお土産に関する広告を包括的にユーザＵに提供されてもよいし、途中下車できる駅で購入可能な駅弁やお土産に関する情報をユーザＵに提供されてもよい。
このように、本実施形態では、ユーザＵには、自身の現在位置だけでなく、自身の移動手段や状況といった各種情報に基づいて、より最適なコンテンツが提供されるため、ユーザは、より効率的に買い物を行ったり、観光を楽しむことが可能となる。
【００４３】
上述したように、本サービスは、ユーザＵの移動手段及び位置に基づき、ユーザＵに適したコンテンツを表示することができる。
【００４４】
次に、図７〜９を参照して、図４の機能的構成を有する情報処理システムを用いてユーザＵに広告配信を行う場合の、各装置が実行する処理の関係の一例について説明する。なお、図７は、図４の機能的構成を有する情報処理システムを用いてユーザＵに広告配信を行う場合の各装置が実行する処理の関係の一例を示すアローチャートである。
【００４５】
ユーザ端末２では、ステップＳ１において、ユーザ端末２の撮像部４３は、ＱＲコード（登録商標）を撮像する。
【００４６】
ステップＳ２において、ユーザ端末２の移動手段特定情報取得部６１は、撮像部４３が取得したＱＲコード（登録商標）の情報に基づき、ユーザＵが利用している移動手段を特定するための移動手段特定情報を取得する。
ステップＳ３において、位置特定情報取得部６２は、ＧＰＳ部４４で取得した情報に基づき、ユーザ端末２（ユーザＵ）の位置を特定するための位置特定情報を取得する。
【００４７】
ステップＳ４において、送信情報送信制御部６３は、移動手段特定情報取得部６１が取得したユーザＵの移動手段特定情報と、位置特定情報取得部６２が取得したユーザＵの位置特定情報とを、通信部４０を介してサーバ１に送信する。
【００４８】
次に、サーバ１では、ステップＳ１１において、送信情報取得部５１は、通信部１９を介してユーザ端末２から送信されてきた送信情報を取得する。
ステップＳ１２において、移動手段特定部５２は、送信情報に含まれる移動手段特定情報に基づき、ユーザＵの移動手段を特定する。
ステップＳ１３において、位置特定部５３は、送信情報に含まれる位置特定情報に基づき、ユーザＵの位置を特定する。
【００４９】
ステップＳ１４において、広告選択部５４は、ユーザＵの移動手段と位置に基づき、広告ＤＢ３に格納してあるコンテンツ情報の中から、ユーザＵに適したコンテンツ情報を選択する。
ステップＳ１５において、広告送信制御部５５は、広告選択部５４が選択したコンテンツ情報を、通信部１９を介してユーザ端末２に送信する。
【００５０】
その後、ユーザ端末２では、ステップＳ５において、広告表示制御部６５は、サーバ１から送られてきたコンテンツ情報を、通信部４０を介して取得する。
ステップＳ６において、広告表示制御部６５は、表示部３７に表示する広告画面情報を生成し、表示部３７にその広告画面情報送信する。
【００５１】
以上、本発明の一実施形態について説明したが、本発明は、上述の実施形態に限定されるものではなく、本発明の目的を達成できる範囲での変形、改良等は本発明に含まれるものである。
【００５２】
ここで、図８及び図９を参照して、本サービスのより具体的なフローについて、補足する。図８及び図９は、サーバ１及びユーザ端末２の実行する各種処理の流れを説明するアローチャートであって、図７の例とは異なる例を示す図である。
【００５３】
図８は、駅の売店でＱＲコード（登録商標）をユーザＵが撮影することをきっかけとして、ユーザＵに広告配信を行う場合の、サーバ１及びユーザ端末２で実行される各種処理の流れの例を示している。
【００５４】
ステップＳ２１において、ユーザ端末２の撮像部４３は、駅の売店でＱＲコード（登録商標）を撮像する。
【００５５】
ステップＳ２２において、ユーザ端末２のＣＰＵ３１は、所定のＵＲＬ（Ｕｎｉｆｏｒｍ  Ｒｅｓｏｕｒｃｅ  Ｌｏｃａｔｏｒ）へアクセスする。
ここで、上述の通り、ユーザ端末２の移動手段特定情報取得部６１は、撮像部４３で取得されたＱＲコード（登録商標）に関する各種情報に基づいて、移動手段特定情報を取得する。
【００５６】
ステップＳ３１において、サーバ１のＣＰＵ１１は、ユーザ端末２からのアクセスがなされると、ユーザ端末２に対して、ユーザＵの位置特定情報の取得を要求する。
【００５７】
ステップＳ２３において、ユーザからサーバ１へ位置特定情報を送信する許可がされると、ユーザ端末２の送信情報送信制御部６３は、通信部４０を介して、位置特定情報をサーバ１に送信する。
【００５８】
ステップＳ３２において、サーバ１の位置特定部５３は、ユーザ端末２から送信されてきた位置特定情報を取得する。
ステップＳ３３において、サーバ１の広告選択部５４は、位置特定情報に適合するコンテンツ情報をＤＢから取得する。
ステップＳ３４において、サーバ１の広告送信制御部５５は、ステップＳ３３で取得したコンテンツ情報を、ユーザ端末２に送信する。
【００５９】
図８の例では、駅の売店に備え付けられたＱＲコード（登録商標）が読み取りの対象となっているため、サーバ１において特定される移動手段（ユーザＵの状態）は、「駅の売店（にユーザＵが存在する）」となる。つまり、例えば、このようなユーザＵが、どのような性質の場所に存在するのかという情報であっても、本発明の移動手段に含まれる。
図８の例のように、ユーザＵが駅の売店に存在する場合、通常、ユーザＵには、当該売店で販売している商品に関する広告をコンテンツとして提供すれば足りる場合も多い。このような場合には、サーバ１は、当該売店の位置情報から、ユーザＵに提供するコンテンツを決定してもよい。図８は、サーバ１でこのようなフローが採用され、ユーザＵに提供するコンテンツが決定された場合の例である。
【００６０】
さらに言えば、図８の例において、ユーザが特定の場所に存在する場合に、当該ユーザに適したコンテンツを提供するだけでなく、例えば、ユーザが特定の場所に存在することが、そもそも対象となるお土産品等の商品の購入、又は受け取り（発送手続き）の条件としてもよい。
つまり、特定の場所（及び特定の状態）でのみ商品・情報が手に入る仕組みを用意することで、その特定の場所へのユーザを誘引することが期待できるため、当該特定の場所の売上向上等の相乗効果を図ることもできる。
【００６１】
図９は、ホテルの部屋でＱＲコード（登録商標）をユーザＵが撮影することをきっかけとして、ユーザＵに広告配信を行う場合の各装置が実行する処理の関係の一例を示すアローチャートである。
即ち、図９では、ユーザＵが、複数の状況（バスの車内、タクシーの車内、ホテルの部屋）の中から、ホテルの部屋にいる、という状況でホテルの部屋に備え付けられたＱＲコード（登録商標）が読み取りの対象となった場合の一例を示すアローチャートである。
【００６２】
ステップＳ４１において、ユーザ端末２の撮像部４３は、ホテルの部屋でＱＲコード（登録商標）を撮像する。
ステップＳ４２において、ユーザ端末２のＣＰＵ３１は、所定のＵＲＬへアクセスする。
【００６３】
ステップＳ５１において、サーバ１のＣＰＵ１１は、ユーザ端末に、位置特定情報の取得を要求する。
【００６４】
ステップＳ４３において、ユーザからサーバ１へ位置特定情報を送信する許可がされると、ユーザ端末２の送信情報送信制御部６３は、通信部４０を介して、位置特定情報をサーバ１に送信する。
【００６５】
ステップＳ５２において、サーバ１の位置特定部５３は、ユーザ端末２から送信されてきた位置特定情報を取得する。
ステップＳ５３において、サーバ１の広告選択部５４は、位置特定情報及び移動手段特定情報に適合するコンテンツ情報をＤＢから取得する。
ステップＳ５４において、サーバ１の広告送信制御部５５は、ステップＳ５３で取得したコンテンツ情報を、ユーザ端末２に送信する。
【００６６】
図９の例では、例えば、バスの車内に備え付けられたＱＲコード（登録商標）と、タクシーの車内に備え付けられたＱＲコード（登録商標）と、ホテルの部屋に備え付けられたＱＲコード（登録商標）のうちから、ユーザＵによって、ホテルの部屋に備え付けられたＱＲコード（登録商標）が読み取られた場合の例が示されている。
即ち、ユーザＵの移動手段を特定するための情報（ＱＲコード（登録商標））は、ユーザＵが利用し、滞在し得る、様々な交通機関や宿泊施設等に設置され、夫々の場所で設置されるＱＲコード（登録商標）は、異なるものとして設計することができる。
従って、サーバ１では、読み取られたＱＲコード（登録商標）に基づいて、ユーザＵの移動手段（状況）を特定することが可能となる。
【００６７】
さらに言えば、図９の例においても、図８の例と同様に、ユーザが特定の場所（及び特定の状態）に存在する場合に、当該ユーザに適したコンテンツを提供するだけでなく、例えば、ユーザが特定の場所（及び特定の状態）に存在することが、そもそも対象となるお土産品等の商品の購入、又は受け取り（発送手続き）の条件としてもよい。
つまり、特定の場所（及び特定の状態）でのみ商品・情報が手に入る仕組みを用意することで、その特定の場所へのユーザを誘引することが期待でき、さらにはＱＲコード（登録商標）の種別を増やし、特定のサービス（交通手段や、宿泊施設）の条件を含めることで場所とサービスを兼ねなければ手に入らないレア感を提案し、当該特定の場所の売上向上等の相乗効果を狙うこともできる。
【００６８】
以上をまとめると、旅行や出張等を行っているユーザＵにとって、旅行先や出張先（ユーザＵの現在位置）だけでなく、その時々の移動手段や自身の状況によっても、提供を希望するコンテンツ（例えば、宣伝して欲しい商品）が異なるのが通常である。
図８及び図９の例を含む本実施形態における本サービスでは、ユーザＵの現在位置だけでなく、ユーザＵの移動手段や自身の状況を考慮して、より当該ユーザＵに適したコンテンツの提供が可能となる。
【００６９】
以上のステップにように本発明に関する各情報処理システムが動作することで、ユーザＵに適したコンテンツを表示することができる。
なお、図８〜９により示される各装置の処理のステップは、１例に過ぎず、他のステップが各装置の処理に含まれていても良く、ステップの順番が異なっていても良い。
【００７０】
また例えば、上述した一連の処理は、ハードウェアにより実行させることもできるし、ソフトウェアにより実行させることもできる。
換言すると、図４の機能的構成は例示に過ぎず、特に限定されない。
即ち、上述した一連の処理を全体として実行できる機能が情報処理システムに備えられていれば足り、この機能を実現するためにどのような機能ブロックを用いるのかは特に図５の例に限定されない。また、機能ブロックの存在場所も、図４に特に限定されず、任意でよい。具体的に、例えば、サーバ１、ユーザ端末２のいずれに機能ブロックが存在してもよいし、適宜、入れ替えることも可能である。
また、１つの機能ブロックは、ハードウェア単体で構成してもよいし、ソフトウェア単体で構成してもよいし、それらの組み合わせで構成してもよい。
【００７１】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。
また、コンピュータは、各種のプログラムをインストールすることで、各種の機能を実行することが可能なコンピュータ、例えばサーバの他汎用のスマートフォンやパーソナルコンピュータであってもよい。
【００７２】
このようなプログラムを含む記録媒体は、ユーザＵにプログラムを提供するために装置本体とは別に配布される図示せぬリムーバブルメディアにより構成されるだけでなく、装置本体に予め組み込まれた状態でユーザＵに提供される記録媒体等で構成される。
【００７３】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
また、本明細書において、システムの用語は、複数の装置や複数の手段等より構成される全体的な装置を意味するものとする。
【００７４】
また例えば、上述の実施形態において、ユーザＵが移動手段を特定する方法及び本サービスの提供開始するためのトリガーとしてＱＲコード（登録商標）を採用して説明したが、特にこれに限定されない。
即ち、本サービスの提供者は、ユーザＵが移動手段を特定する方法及び本サービスの提供開始するためのトリガーとして、例えばＪＡＮ、ＥＡＮ、ＵＰＣ、ＩＴＦ、ＣＯＤＥ３９、ＣＯＤＥ１２８、ＮＷ−７、カスタマバーコード等の一次元コードでも良く、ＳＰコード、ベリコード（ＶｅｒｉＣｏｄｅ）、マキシコード（ＭａｘｉＣｏｄｅ）、ＣＰコード、ＤａｔａＭａｔｒｉｘ、ＤａｔａＭａｔｒｉｘ  ＥＣＣ２００、Ｃｏｄｅ１、ＡｚｔｅｃＣｏｄｅ、インタクタコード、カードｅ、カメレオン・コード等のマトリックス式二次元コードでも良く、ＰＤＦ４１７、マイクロＰＤＦ４１７、Ｃｏｄｅ４９、Ｃｏｄｅ１６Ｋ、Ｃｏｄａｂｌｏｃｋ、ＳｕｐｅｒＣｏｄｅ、Ｕｌｔｒａ  Ｃｏｄｅ、ＲＳＳ  Ｃｏｍｐｏｓｉｔｅ、ＡｚｔｅｃＭｅｓａ等のスタック式二次元コードを含むあらゆる方法を採用してもよい。
【００７５】
また例えば、ユーザＵの移動手段の一例として、バス、電車、タクシー等を例として説明を行ったが、特にこれに限定されない。
例えば、本サービスの提供者は、移動手段として、飛行機、船、バイク等を採用してもよい。
さらに言えば、上述の通り、「移動手段」には、例えば、「駅の売店」や「ホテルの部屋」等が含まれる点については言及を行っているが、特にこれに限定されない。
つまり、例えば、「観光地」や「有名な料亭」等、ユーザＵが存在する場所や状況を示す場所等であれば、「移動手段」に含む事ができる。これにより、本サービスでは、単なる移動手段のみならず、移動手段を含めたユーザＵの具体的な状況により適した、コンテンツを当該ユーザＵに提供することができる。
【００７６】
また例えば、上述の実施形態において、位置特定情報は、ＧＰＳ情報に基づいて、取得されるものとして説明を行ったが、特にこれに限定されない。
即ち、ユーザＵ端末２は、例えば、Ｗｉ−Ｆｉ（Ｗｉｒｅｌｅｓｓ  Ｆｉｄｅｌｉｔｙ）（登録商標）情報、移動手段の時刻表やルート、移動手段の便名等に基づいて、位置特定情報を取得してもよい。
【００７７】
また例えば、上述の実施形態において、ユーザ端末２に表示される情報は、移動手段特定情報及び位置特定情報に基づいて、コンテンツ情報として商品やサービスに関する広告を取得しているが、特にこれに限定されない。
ユーザ端末２に表示される情報は、商品やサービスに関する広告に限られず、自治体のＰＲ情報等の任意のコンテンツでもよい。
【００７８】
また例えば、図８及び図９の実施形態を含む上述の実施形態において、ユーザの移動手段等の特定には、ＱＲコード（登録商標）を用いるものとして説明を行ったが、特にこれに限定されない。
即ち、移動手段等の特定には、必ずしもＱＲコード（登録商標）が用いられる必要はなく、例えば、ＮＦＣ（Ｎｅａｒ  Ｆｉｅｌｄ  Ｃｏｍｍｕｎｉｃａｔｉｏｎ）、ビーコン（Ｂｅａｃｏｎ）、移動手段等の特定には、その他あらゆる方法が用いられてもよい。なお、例えば、ＮＦＣを用いて移動手段等を特定する場合であれば、撮像機能を有していない情報処理端末であっても、本サービスの適用を受けることができる。
【００７９】
以上を換言すると、本発明が適用される情報処理装置は、次のような構成を有していれば足り、各種各様な実施の形態を取ることができる。
即ち、本発明が適用される情報処理装置（例えば図４のサーバ１）は、
他の情報処理端末（例えば図４のユーザ端末２）に対して、提供するコンテンツを決定する情報処理装置において、
前記コンテンツを提供する対象となる前記他の情報処理装置を携帯するユーザに関する第１条件を特定可能な第１条件を取得する第１条件取得手段（例えば図４の移動手段特定部５２）と、
前記ユーザの位置に関する第２条件を特定可能な第２条件を取得する第２条件取得手段（例えば図４の位置特定部５３）と、
前記第１条件取得手段により取得された前記第１条件及び前記第２条件取得手段により取得された前記第２条件に基づいて、前記他の情報処理装置に提供するコンテンツを決定する決定手段（例えば図４の広告選択部５４）と、
を備える。
【００８０】
これにより、ユーザＵの現在位置や移動手段等に基づいて、当該ユーザＵに対して、より適切な情報を提供することができる。
即ち、ユーザＵが現在利用している交通媒体と、上述の交通媒体の現在位置によって、情報提供者は、ユーザＵが希望する情報を提供することが出来る。
【００８１】
即ち、本発明が適用される情報処理端末（例えば図４のユーザ端末２）は、
他の情報処理装置（例えば図４のサーバ１）の制御により決定されたコンテンツに関する処理を実行する情報処理装置において、
当該情報処理装置を携帯するユーザに関する第１条件を特定可能な第１条件を取得する第１条件取得手段（例えば図４の移動手段特定情報取得部６１）と、
前記ユーザの位置に関する前記第２条件を特定可能な第２条件を取得する第２条件取得手段（例えば図４の位置特定情報取得部６２）と、
前記第１条件及び前記第２条件を前記他の情報処理装置に提供する提供手段（例えば図４の送信情報送信制御部６３）と、
前記第１条件及び前記第２条件に基づいて、前記他の情報処理装置の制御により決定されたコンテンツを、前記ユーザに対して提示する提示手段（例えば図４の広告表示制御部６４）と、
を備える。
【００８２】
これにより、ユーザＵの現在位置や移動手段等に基づいて、当該ユーザＵに対して、より適切な情報を提供することができる。
即ち、ユーザＵが現在利用している交通媒体と、上述の交通媒体の現在位置によって、情報提供者は、ユーザＵが希望する情報を提供することが出来る。
【符号の説明】
【００８３】
１・・・サーバ、２・・・ユーザ端末、３・・・広告ＤＢ、１１・・・ＣＰＵ、１２・・・ＲＯＭ、１３・・・ＲＡＭ、１４・・・バス、１５・・・入出力インターフェース、１６・・・出力部、１７・・・入力部、１８・・・記憶部、１９・・・通信部、２０・・・ドライブ、２１・・・リムーバブルメディア、３１・・・ＣＰＵ、３２・・・ＲＯＭ、３３・・・ＲＡＭ、３４・・・バス、３５・・・入出力インターフェース、３６・・・タッチパネル入力部、３７・・・表示部、３８・・・入力部、３９・・・記憶部、４０・・・通信部、４１・・・ドライブ、４２・・・リムーバブルメディア、４３・・・撮像部、４４・・・ＧＰＳ部、４４・・・リムーバブルメディア、５１・・・送信情報取得部、５２・・・移動手段特定部、５３・・・位置特定部、５４・・・広告選択部、５５・・・広告送信制御部、６１・・・移動手段特定情報取得部、６２・・・位置特定情報取得部、６３・・・送信情報送信制御部、６４・・・広告表示制御部、Ｂ・・・バス、Ｓ１〜Ｓ５４・・・ステップ、Ｔ・・・表、Ｕ・・・ユーザ
【図１】
2019003647.tif 000003
【図２】
2019003647.tif 000004
【図３】
2019003647.tif 000005
【図４】
2019003647.tif 000006
【図５】
2019003647.tif 000007
【図６】
2019003647.tif 000008
【図７】
2019003647.tif 000009
【図８】
2019003647.tif 000010
【図９】
2019003647.tif 000011